(57)【要約】【課題】通信の寸断の状況を削減することができるネットワークシステムを提供する。【解決手段】４本の光ファイバ１〜４を有する光ケーブル１０と、光ケーブル１０に接続される４つの通信機器群１１〜１４と、各通信機器群１１〜１４は、それぞれ第１光ファイバ１に接続されるとともに、第１光ファイバ以外に、隣接する通信機器群同士が異なる光ファイバ２〜４で、かつ、各光ファイバ１〜４はいずれかの各通信機器群１１〜１４に接続されるように設定され、光ケーブル１０は、一端端部１０ａにおいて、第１光ファイバ１を除く各光ファイバ２〜４の全てに接続される通信機器１５を有し、他端端部１０ｂにおいて、他端端部１０ｂに隣接する第４通信機器群１４に接続されている第２光ファイバ２と、１つ以上離反する第２通信機器群１２に接続されている第３光ファイバ３とが折り返し接続１６されている。【選択図】図１
2013223068.tif 000002
【特許請求の範囲】
【請求項１】
４本以上の芯線を有するケーブルと、
上記ケーブルに接続される３以上の通信機器群と、
上記各通信機器群は、それぞれ同一の１の芯線に接続されるとともに、上記１の芯線以外に、隣接する通信機器群同士が異なる上記芯線で、かつ、上記各芯線はいずれかの上記各通信機器群に接続されるように設定され、
上記ケーブルは、一端端部において、上記１の芯線を除く各芯線の全てに接続される親機を有し、
他端端部において、上記他端端部に隣接する通信機器群の上記１の芯線以外に接続されている芯線と、上記他端端部に隣接する通信機器群より１つ以上離反した通信機器群が上記１の芯線以外に接続されている芯線とが折り返し接続されているネットワークシステム。
【請求項２】
４本以上の芯線を有するケーブルと、
上記ケーブルに接続される３以上の通信機器群と、
上記各通信機器群は、それぞれ同一の１の芯線に接続されるとともに、上記１の芯線以外に、隣接する通信機器群同士が異なる上記芯線で、かつ、上記各芯線はいずれかの上記各通信機器群に接続されるように設定され、
上記ケーブルは、一端端部において、上記一端端部に隣接する通信機器群の上記１の芯線以外に接続されている芯線と、上記一端端部に隣接する通信機器群より１つ以上離反した通信機器群が上記１の芯線以外に接続されている芯線とが第１折り返し接続され、
他端端部において、上記他端端部に隣接する通信機器群の上記１の芯線以外に接続されている芯線と、上記他端端部に隣接する通信機器群より１つ以上離反した通信機器群が上記１の芯線以外に接続されている芯線とが第２折り返し接続されているネットワークシステム。
【請求項３】
４本以上の芯線を有するケーブルと、
上記ケーブルに接続される３以上の通信機器群と、
上記各通信機器群は、それぞれ同一の１の芯線に接続されるとともに、上記１の芯線以外に、隣接する通信機器群同士が異なる上記芯線で、かつ、上記各芯線はいずれかの上記各通信機器群に接続されるように設定され、
上記ケーブルは、一端端部および他端端部において、上記１の芯線を除く各芯線の全てに接続される親機をそれぞれ備え、
上記各親機間は、上記ケーブル以外で通信可能に形成されているネットワークシステム。
【請求項４】
上記ケーブルが分岐する場合、分岐側の分岐ケーブルの各芯線は、上記ケーブルの芯線と、分岐ポイントから一番近接して各芯線に接続されている上記通信機器群を介してそれぞれ接続されている請求項１ないし請求項３のいずれか１項に記載のネットワークシステム。
【請求項５】
上記分岐側の分岐ケーブルの各芯線の本数が、上記ケーブルの各芯線の本数より多い場合、上記分岐ケーブルの各芯線は３以上の上記通信機器群のいずれかと接続されている請求項４に記載のネットワークシステム。
【請求項６】
上記通信機器群は、双方向通信可能にてなる請求項１ないし請求項５のいずれか１項に記載のネットワークシステム。
【請求項７】
上記芯線は、光ファイバまたはメタル線にてなる請求項１ないし請求項６のいずれか１項に記載のネットワークシステム。
【発明の詳細な説明】
【技術分野】
【０００１】
この発明は、通信の寸断の状況を削減することができるネットワークシステムに関するものである。
【背景技術】
【０００２】
従来のネットワークシステムは、数珠繋ぎ、ループ状にネットワークの構成が存在する。そして信頼性を高めるために、伝送路の状況に応じて自律的に経路の切り替えを行う通信機器とケーブル内部の光ファイバを用いて伝送路を複数のループ構成にて構成されているものが存在する（例えば、特許文献１参照）。
【先行技術文献】
【特許文献】
【０００３】
【特許文献１】特開平３−２２２５３５号公報
【発明の概要】
【発明が解決しようとする課題】
【０００４】
従来のネットワークシステムのようなループ構成では、装置故障または１区間のみの停電には対応するものの、２箇所の装置が停電した場合に、停電区間外で通信が途絶えるという問題点があった。
【０００５】
この発明は上記のような課題を解決するためになされたものであり、停電発生時などの通信の寸断において通信が途絶えることを削減することができるネットワークシステムを提供することを目的とする。
【課題を解決するための手段】
【０００６】
この発明のネットワークシステムは、
４本以上の芯線を有するケーブルと、
上記ケーブルに接続される３以上の通信機器群と、
上記各通信機器群は、それぞれ同一の１の芯線に接続されるとともに、上記１の芯線以外に、隣接する通信機器群同士が異なる上記芯線で、かつ、上記各芯線はいずれかの上記各通信機器群に接続されるように設定され、
上記ケーブルは、一端端部において、上記１の芯線を除く各芯線の全てに接続される親機を有し、
他端端部において、上記他端端部に隣接する通信機器群の上記１の芯線以外に接続されている芯線と、上記他端端部に隣接する通信機器群より１つ以上離反した通信機器群が上記１の芯線以外に接続されている芯線とが折り返し接続されているものである。
【０００７】
また、この発明のネットワークシステムは、
４本以上の芯線を有するケーブルと、
上記ケーブルに接続される３以上の通信機器群と、
上記各通信機器群は、それぞれ同一の１の芯線に接続されるとともに、上記１の芯線以外に、隣接する通信機器群同士が異なる上記芯線で、かつ、上記各芯線はいずれかの上記各通信機器群に接続されるように設定され、
上記ケーブルは、一端端部において、上記一端端部に隣接する通信機器群の上記１の芯線以外に接続されている芯線と、上記一端端部に隣接する通信機器群より１つ以上離反した通信機器群が上記１の芯線以外に接続されている芯線とが第１折り返し接続され、
他端端部において、上記他端端部に隣接する通信機器群の上記１の芯線以外に接続されている芯線と、上記他端端部に隣接する通信機器群より１つ以上離反した通信機器群が上記１の芯線以外に接続されている芯線とが第２折り返し接続されているものである。
【０００８】
また、この発明のネットワークシステムは、
４本以上の芯線を有するケーブルと、
上記ケーブルに接続される３以上の通信機器群と、
上記各通信機器群は、それぞれ同一の１の芯線に接続されるとともに、上記１の芯線以外に、隣接する通信機器群同士が異なる上記芯線で、かつ、上記各芯線はいずれかの上記各通信機器群に接続されるように設定され、
上記ケーブルは、一端端部および他端端部において、上記１の芯線を除く各芯線の全てに接続される親機をそれぞれ備え、
上記各親機間は、上記ケーブル以外で通信可能に形成されているものである。
【発明の効果】
【０００９】
この発明のネットワークシステムは、
４本以上の芯線を有するケーブルと、
上記ケーブルに接続される３以上の通信機器群と、
上記各通信機器群は、それぞれ同一の１の芯線に接続されるとともに、上記１の芯線以外に、隣接する通信機器群同士が異なる上記芯線で、かつ、上記各芯線はいずれかの上記各通信機器群に接続されるように設定され、
上記ケーブルは、一端端部において、上記１の芯線を除く各芯線の全てに接続される親機を有し、
他端端部において、上記他端端部に隣接する通信機器群の上記１の芯線以外に接続されている芯線と、上記他端端部に隣接する通信機器群より１つ以上離反した通信機器群が上記１の芯線以外に接続されている芯線とが折り返し接続されているので、
各通信機器群が各光ファイバとメッシュ構成にて接続され、各通信機器群は全ての光ファイバと接続状態を得ることができるため、通信の寸断の状況を削減することができる。
【００１０】
また、この発明のネットワークシステムは、
４本以上の芯線を有するケーブルと、
上記ケーブルに接続される３以上の通信機器群と、
上記各通信機器群は、それぞれ同一の１の芯線に接続されるとともに、上記１の芯線以外に、隣接する通信機器群同士が異なる上記芯線で、かつ、上記各芯線はいずれかの上記各通信機器群に接続されるように設定され、
上記ケーブルは、一端端部において、上記一端端部に隣接する通信機器群の上記１の芯線以外に接続されている芯線と、上記一端端部に隣接する通信機器群より１つ以上離反した通信機器群が上記１の芯線以外に接続されている芯線とが第１折り返し接続され、
他端端部において、上記他端端部に隣接する通信機器群の上記１の芯線以外に接続されている芯線と、上記他端端部に隣接する通信機器群より１つ以上離反した通信機器群が上記１の芯線以外に接続されている芯線とが第２折り返し接続されているので、
各通信機器群が各光ファイバとメッシュ構成にて接続され、各通信機器群は全ての光ファイバと接続状態を得ることができるため、通信の寸断の状況を削減することができる。
【００１１】
また、この発明のネットワークシステムは、
４本以上の芯線を有するケーブルと、
上記ケーブルに接続される３以上の通信機器群と、
上記各通信機器群は、それぞれ同一の１の芯線に接続されるとともに、上記１の芯線以外に、隣接する通信機器群同士が異なる上記芯線で、かつ、上記各芯線はいずれかの上記各通信機器群に接続されるように設定され、
上記ケーブルは、一端端部および他端端部において、上記１の芯線を除く各芯線の全てに接続される親機をそれぞれ備え、
上記各親機間は、上記ケーブル以外で通信可能に形成されているので、
各通信機器群が各光ファイバとメッシュ構成にて接続され、各通信機器群は全ての光ファイバと接続状態を得ることができるため、通信の寸断の状況を削減することができる。
【図面の簡単な説明】
【００１２】
【図１】この発明の実施の形態１のネットワークシステムの構成を示す図である。
【図２】この発明の実施の形態２のネットワークシステムの構成を示す図である。
【図３】この発明の実施の形態３のネットワークシステムの構成を示す図である。
【図４】この発明の実施の形態４のネットワークシステムの構成を示す図である。
【図５】この発明の実施の形態４のネットワークシステムの他の構成を示す図である。
【図６】この発明の実施の形態４のネットワークシステムの他の構成を示す図である。
【発明を実施するための形態】
【００１３】
実施の形態１．
以下、本願発明の実施の形態について説明する。図１はこの発明の実施の形態１におけるネットワークシステムの構成を示す図である。図において、１本のケーブルとしての光ケーブル１０と、この光ケーブル１０内に配設されている芯線としての第１光ファイバ１、第２光ファイバ２、第３光ファイバ３、第４光ファイバ４とが配設されている。そして、この光ケーブル１０に接続される第１通信機器群１１、第２通信機器群１２、第３通信機器群１３、第４通信機器群１４とを備える。そして各通信機器群１１、１２、１３、１４は、複数の通信機器１１ａ、１１ｂ、１２ａ、１２ｂ、１３ａ、１３ｂ、１４ａ、１４ｂ、例えば、通信機器にてなるものを有している。尚、各通信機器群１１〜１４の通信機器の数は、２にて示したが、これに限られることはなく、１以上であればいずれでもよい。
【００１４】
そして、各通信機器群１１〜１４と、光ケーブル１０との接続は以下のように構成されている。まず、通信機器１１ｂ、通信機器１２ａ、通信機器１２ｂ、通信機器１３ａ、通信機器１３ｂ、通信機器１４ａがそれぞれ１の芯線としての第１光ファイバ１に接続されていることにより、各通信機器群１１〜１４は、全て第１光ファイバ１に接続されているものである。よって、ここでは他の各光ファイバ２〜４は他の芯線に相当する。また、第１通信機器群１１は、隣接する第２通信機器群１２とは異なる第２光ファイバ２に接続されている。そして、第２通信機器群１２は、隣接する第１および第３通信機器群１１、１３とは異なる第３光ファイバ３に接続されている。そして、第３通信機器群１３は、隣接する第２および第４通信機器群１２、１４とは異なる第４光ファイバ４に接続されている。そして、第４通信機器群１４は、隣接する第３通信機器群１３とは異なる第２光ファイバ２に接続されている。よって、各通信機器群１１〜１４は、第１光ファイバ１に接続されるとともに、第１光ファイバ１以外に、隣接する通信機器群１１〜１４同士が異なる各光ファイバ２〜４で、かつ、各光ファイバ１〜４はいずれかの各通信機器群１１〜１４に接続されているものである。
【００１５】
そして、光ケーブル１０は、一端端部１０ａにおいて、１の芯線である第１光ファイバ１を除く各光ファイバ２〜４の全てに接続される親機としての通信機器１５を有し、他端端部１０ｂにおいて、他端端部１０ｂに隣接する第４通信機器群１４の第１光ファイバ１以外に接続されている第２光ファイバ２と、第４通信機器群１４より１つ離反した第２通信機器群１２が第１光ファイバ１以外に接続されている第３光ファイバ３とが折り返し接続１６されている。尚、他端端部１０ｂに隣接する第４通信機器群１４の第２光ファイバ２と接続する光ファイバは、１つ以上離反した通信機器群の接続されている光ファイバであればよいが、同一の光ファイバであっては折り返し接続とならないため、それ以外の光ファイバとの接続を得られるものを選択するものである。
【００１６】
上記のように構成された実施の形態１のネットワークシステムの動作について説明する。まず、通信機器１５から第４通信機器群１４の通信機器１４ｂへの通信は、第２光ファイバ２、第１通信機器群１１の通信機器１１ａ、第２光ファイバ２、第１通信機器群１１の通信機器１１ｂ、第２光ファイバ２、第４通信機器群１４の通信機器１４ａ、第２光ファイバ２、第４通信機器群１４の通信機器１４ｂの経路にて通信することができる。また他に、第３光ファイバ３、第２通信機器群１２の通信機器１２ａ、第３光ファイバ３、第２通信機器群１２の通信機器１２ｂ、第３光ファイバ３、折り返し接続１６、第４通信機器群１４の通信機器１４ｂの経路にて通信を行うことができる。
【００１７】
しかしながら例えば図１に示すように、第１通信機器群１１と第２通信機器群１２とが停電または故障となり通信できない場合、通信機器１５から第４通信機器群１４への通信は、第４光ファイバ４、第３通信機器群１３の通信機器１３ａ、第４光ファイバ４、第３通信機器群１３の通信機器１３ｂ、第１光ファイバ１、第４通信機器群１４の通信機器１４ａ、第２光ファイバ２、第４通信機器群１４の通信機器１４ｂの経路にて通信することができる。尚、第１通信機器群１１と第２通信機器群１２とが停電または故障の際に示した経路は、これらが停電または故障でない場合にも、通信を行うための経路として利用することができる。
【００１８】
上記のように構成された実施の形態１のネットワークシステムによれば、各通信機器群が各光ファイバとメッシュ構成にて接続され、各通信機器群は全ての光ファイバと接続状態を得ることができるため、複数の通信ルート（経路）を確保することができ、各通信機器群のいずれかに故障または停電などの不具合が発生したとしても、通信を行うことができる。よって、通信における信頼性を向上することができる。また、ケーブル自体をループ状に接続する必要がないため、ケーブルの最大長が短くなり、施工性とコスト性とが優れている。
【００１９】
実施の形態２．
図２はこの発明の実施の形態２におけるネットワークシステムの構成を示す図である。図において、上記各実施の形態と同様の部分は同一符号を付して説明を省略する。本実施の形態２においては、光ケーブル１０の一端端部１０ａにおいて、各光ファイバ１〜４に接続された通信機器１５を備えるのではなく、光ケーブル１０の一端端部１０ａにおいて、一端端部１０ａ側に隣接する通信機器群としての第１通信機器群１１の１の芯線としての第１光ファイバ１以外に接続されている芯線としての第２光ファイバ２と、一端端部１０ａ側隣接する第１通信機器群１１より１つ以上離反した通信機器群がここでは第３通信機器群１３の第１光ファイバ１以外に接続されている芯線としての第４光ファイバ４とが第１折り返し接続１７にて接続されている。尚、上記実施の形態１における、折り返し接続１６は、本実施の形態２においては、第２折り返し接続に相当する。
【００２０】
このように構成すれば、上記実施の形態１と異なり、親機としての通信機器が存在していなくとも、上記実施の形態１と同様に、各通信機器群が各光ファイバとメッシュ構成にて接続され、各通信機器群は全ての光ファイバと接続状態を得ることができるため、複数の通信ルート（経路）を確保することができ、各通信機器群のいずれかに故障または停電などの不具合が発生したとしても、通信を行うことができる。よって、通信における信頼性をさらに向上することができる。
【００２１】
実施の形態３．
図３はこの発明の実施の形態３におけるネットワークシステムの構成を示す図である。図において、上記各実施の形態と同様の部分は同一符号を付して説明を省略する。本実施の形態３においては、上記実施の形態１と異なり、光ケーブル１０の他端端部１０ｂにおいても、各光ファイバ２〜４に接続された親機としての通信機器１８を備えるものである。そして、通信機器１５および通信機器１８間は光ケーブル１０以外で通信可能となるように、上位ネットワーク１９にそれぞれ接続されている。
【００２２】
このように構成すれば、上記実施の形態１と異なり、折り返し接続が存在していなくとも、上記実施の形態１と同様に、各通信機器群が各光ファイバとメッシュ構成にて接続され、各通信機器群は全ての光ファイバと接続状態を得ることができるため、複数の通信ルート（経路）を確保することができ、各通信機器群のいずれかに故障または停電などの不具合が発生したとしても、通信を行うことができる。また、上位ネットワークからみると通信機器間を繋げているため、信頼性が向上する。
【００２３】
実施の形態４．
図４はこの発明の実施の形態４におけるネットワークシステムの構成を示す図である。図において、上記各実施の形態と同様の部分は同一符号を付して説明を省略する。上記各実施の形態においては、分岐について特に示していないが、本実施の形態４においては、光ケーブルが分岐する場合について説明する。尚、分岐された側の光ケーブルも、上記実施の形態１と同様に通信機器群が接続されており、光ファイバとの接続も同様に行われている。
【００２４】
分岐側の分岐ケーブルであって１本のケーブルとしての光ケーブル２０と、この光ケーブル２０内に配設されている芯線としての第１光ファイバ２１、第２光ファイバ２２、第３光ファイバ２３、第４光ファイバ２４とが配設されている。そして、この光ケーブル２０に接続される第１通信機器群３１、第２通信機器群３２、第３通信機器群３３とを備える。そして、各通信機器群３１〜３３と、光ケーブル２０との接続は、上記実施の形態１と同様に以下のように構成されている。まず、第１通信機器群３１、第２通信機器群３２、第３通信機器群３３はそれぞれ１の芯線としての第１光ファイバ２１に接続されている。
【００２５】
また、第１通信機器群３１は、隣接する第２通信機器群３２とは異なる第２光ファイバ２２に接続されている。そして、第２通信機器群３２は、隣接する第１および第３通信機器群３１、３３とは異なる第３光ファイバ２３に接続されている。そして、第３通信機器群３３は、隣接する第２通信機器群３２とは異なる第４光ファイバ２４に接続されている。よって、各通信機器群３１〜３３は、第１光ファイバ２１に接続されるとともに、第１光ファイバ２１以外に、隣接する通信機器群３１〜３３同士が異なる各光ファイバ２２〜２４で、かつ、各光ファイバ２１〜２４はいずれかの各通信機器群３１〜３３に接続されているものである。
【００２６】
そして、光ケーブル２０は、他端端部２０ｂにおいて、他端端部２０ｂに隣接する第３通信機器群３３の第１光ファイバ１以外に接続されている第４光ファイバ２４と、第３通信機器群３３より１つ離反した第１通信機器群３１が第１光ファイバ１以外に接続されている第２光ファイバ２２とが折り返し接続２５されている。また、光ケーブル２０の、一端端部２０ａにおいては、１の芯線としての第１光ファイバ２１を除く各光ファイバ２２〜２４は、分岐ポイントから一番近接して１の芯線としての第１光ファイバ１を除く各光ファイバ２〜４に接続されている各通信機器群を介してそれぞれ接続されている。具体的には、分岐ポイントから一番近くて第２光ファイバ２に接続されている第４通信機器群１４の通信機器１４ａに分岐側の光ケーブル２０の第４光ファイバ２４が接続されている。また、分岐ポイントから一番近くて第３光ファイバ３に接続されている第２通信機器群１２の通信機器１２ｂに分岐側の光ケーブル２０の第２光ファイバ２２が接続されている。また、分岐ポイントから一番近くて第４光ファイバ４に接続されている第３通信機器群１３の通信機器１３ｂに分岐側の光ケーブル２０の第３光ファイバ２３が接続されている。
【００２７】
このように構成すれば、上記各実施の形態と同様の効果を奏するのはもちろんのこと、分岐側のケーブルにおいても上記実施の形態１と同様に、各通信機器群が各光ファイバとメッシュ構成にて接続され、各通信機器群は全ての光ファイバと接続状態を得ることができるため、複数の通信ルート（経路）を確保することができ、各通信機器群のいずれかに故障または停電などの不具合が発生したとしても、通信を行うことができる。よって、通信における信頼性をさらに向上することができる。また、分岐による、通信機器群の追加・削除が容易となる。
【００２８】
尚、上記実施の形態４においては、分岐側の光ケーブル２０の各光ファイバ２１〜２４の本数が４本と、本線側の光ケーブル１０の各光ファイバ１〜４の本数が４本とが同一の場合について示したが、これに限られることはなく、分岐側の光ケーブルの光ファイバの本数が、本線側の光ケーブルの光ファイバの本数より、多い場合、または少ない場合も同様に行うことができる。
【００２９】
例えば、図５に、分岐側の光ケーブル４０の各光ファイバ４１〜４５の本数が５本で、本線側の光ケーブル１０の各光ファイバ１〜４の本数の４本より多い場合について説明する。尚、分岐された側の光ケーブルは、上記実施の形態１と同様に通信機器群が接続されており、光ファイバとの接続も同様に行われている。
【００３０】
分岐側の分岐ケーブルであって１本のケーブルとしての光ケーブル４０と、この光ケーブル４０内に配設されている芯線としての第１光ファイバ４１、第２光ファイバ４２、第３光ファイバ４３、第４光ファイバ４４、第５光ファイバ４５とが配設されている。そして、この光ケーブル４０に接続される第１通信機器群５１、第２通信機器群５２、第３通信機器群５３、第４通信機器群５４とを備える。そして、各通信機器群５１〜５４と、光ケーブル４０との接続は、上記実施の形態１と同様に以下のように構成されている。まず、第１通信機器群５１、第２通信機器群５２、第３通信機器群５３、第４通信機器群５４はそれぞれ１の芯線としての第１光ファイバ４１に接続されている。
【００３１】
また、第１通信機器群５１は、隣接する第２通信機器群５２とは異なる第２光ファイバ４２に接続されている。そして、第２通信機器群５２は、隣接する第１および第３通信機器群５１、５３とは異なる第３光ファイバ４３に接続されている。そして、第３通信機器群５３は、隣接する第２および第４通信機器群５２、５４とは異なる第４光ファイバ４４に接続されている。そして、第４通信機器群５４は、隣接する第３通信機器群５３とは異なる第５光ファイバ４５に接続されている。よって、各通信機器群５１〜５４は、第１光ファイバ４１に接続されるとともに、第１光ファイバ４１以外に、隣接する通信機器群５１〜５４同士が異なる各光ファイバ４２〜４５で、かつ、各光ファイバ４２〜４５はいずれかの各通信機器群５１〜５４に接続されているものである。
【００３２】
そして、光ケーブル４０は、他端端部４０ｂにおいて、他端端部４０ｂに隣接する第４通信機器群５４の第１光ファイバ１以外に接続されている第５光ファイバ４５と、第４通信機器群５４より２つ離反した（１つ以上離反している）第１通信機器群５１が第１光ファイバ１以外に接続されている第２光ファイバ４２とが折り返し接続４６されている。また、光ケーブル４０の、一端端部４０ａにおいては、１の芯線としての第１光ファイバ４１を除く各光ファイバ４２〜４５は、分岐ポイントから一番近接して１の芯線としての第１光ファイバ１を除く各光ファイバ２〜４に接続されている各通信機器群を介してそれぞれ接続されている。具体的には、分岐ポイントから一番近くて第２光ファイバ２に接続されている第４通信機器群１４の通信機器１４ａに分岐側の光ケーブル４０の第４光ファイバ４４および第５光ファイバ４５が接続されている。また、分岐ポイントから一番近くて第３光ファイバ３に接続されている第２通信機器群１２の通信機器１２ｂに分岐側の光ケーブル４０の第２光ファイバ４２が接続されている。また、分岐ポイントから一番近くて第４光ファイバ４に接続されている第３通信機器群１３の通信機器１３ｂに分岐側の光ケーブル４０の第３光ファイバ４４が接続されている。
【００３３】
このように、分岐側の光ケーブル４０の各光ファイバ４１〜４５の本数が５本で、本線側の光ケーブル１０の各光ファイバ１〜４の本数の４本より多い場合であっても、分岐側の各光ファイバ４２〜４５は、本線側の異なる光ファイバを使用している３以上の通信機器群、ここでは、第２、第３、第４の通信機器群１２、１３、１４のいずれかと接続するようにし、特に、第４、第５光ファイバ４４、４５は同一の通信機器群である、第４通信機器群１４に接続することにより対応している。よって、上記実施の形態４と同様の効果を奏することができる
【００３４】
また、例えば、図６に、分岐側の光ケーブル２０の各光ファイバ２１〜２４の本数が４本で、本線側の光ケーブル１０の各光ファイバ１〜５の本数の５本より少ない場合について説明する。分岐側の分岐ケーブルの光ケーブル２０は上記実施の形態２と同様であり、第４光ファイバとして、第４光ファイバ２４ａまたは第４光ファイバ２４ｂが存在する。また、本線側の光ケーブル１０には、第５光ファイバ５が存在し、通信機器５５ａ、通信機器５５ｂを有する第５通信機器群５５が存在する。そして、第５通信機器群５５は第１光ファイバ１に接続されている。また、第５通信機器群５５は、隣接する第３および第４通信機器群１３、１４とは異なる第５光ファイバ５に接続されている。
【００３５】
そして、光ケーブル２０の、一端端部２０ａにおいては、１の芯線としての第１光ファイバ２１を除く各光ファイバ２２〜２４は、分岐ポイントから一番近接して１の芯線としての第１光ファイバ１を除く各光ファイバ２〜５に接続されている各通信機器群を介してそれぞれ接続されている。具体的には、上記実施の形態２と同様であるが、分岐ポイントから一番近くて第２光ファイバ２に接続されている第４通信機器群１４の通信機器１４ａに分岐側の光ケーブル２０の第４光ファイバ２４ａを接続するか、または、分岐ポイントから一番近くて第５光ファイバ５に接続されている第５通信機器群５５の通信機器５５ａに分岐側の光ケーブル２０の第４光ファイバ２４ｂを接続するかにて対応する。
【００３６】
このように、分岐側の光ケーブル２０の各光ファイバ２１〜２４の本数が４本で、本線側の光ケーブル１０の各光ファイバ１〜５の本数の５本より少ない場合であっても、分岐側の各光ファイバ２２〜２４は、上記実施の形態４と同様に本線側の光ケーブル１０の通信機器群と接続されるているため、上記実施の形態４と同様の効果を奏することができる。
【００３７】
尚、上記各実施の形態においては、芯線を光ファイバの場合について示したが、これに限られることはなく、メタル線であっても同様に行うことができ、同様の効果を奏することができる。
【００３８】
また、ここでは特に示していないが、通信機器群は、双方向通信可能なものにてなるものを用い、１つの光ファイバにて双方向通信可能とすることができるようにすれば、少ない光ファイバにて双方通信に対応することができ、送受信において同様の効果を奏することができる。これにより省線化を図ることができる。
【００３９】
また、ケーブル内の芯線の数は４本の場合を示したが、これに限られることはなく、４本以上であれば、上記各実施の形態と同様に構成することができ、同様の効果を奏することができる。また、ケーブルに接続されてる通信機器群は４つの場合を示したが、これに限られることはなく、３つ以上であれば、上記各実施の形態と同様に構成することができ、同様の効果を奏することができる。
【００４０】
尚、本発明は、その発明の範囲内において、各実施の形態を自由に組み合わせたり、各実施の形態を適宜、変形、省略することが可能である。
【符号の説明】
【００４１】
１  第１光ファイバ、２  第２光ファイバ、３  第３光ファイバ、
４  第４光ファイバ、５  第５光ファイバ、１０  光ケーブル、１０ａ  一端端部、
１０ｂ  他端端部、１１，３１，５１  第１通信機器群、
１２，３２，５２  第２通信機器群、１３，３３，５３  第３通信機器群、
１４，５４  第４通信機器群、１５  通信機器、１６  折り返し接続、
１７  第１折り返し接続、１８  通信機器、１９  上位ネットワーク、
２０，４０  光ケーブル、２０ａ，４０ａ  一端端部、２０ｂ，４０ｂ  他端端部、
２１，４１  第１光ファイバ、２２，４２  第２光ファイバ、
２３，４３  第３光ファイバ、２４，４４  第４光ファイバ、４５  第５光ファイバ、
２５，４６  折り返し接続、５５  第５通信機器群。
【図１】
2013223068.tif 000003
【図２】
2013223068.tif 000004
【図３】
2013223068.tif 000005
【図４】
2013223068.tif 000006
【図５】
2013223068.tif 000007
【図６】
2013223068.tif 000008